(57)【要約】      （修正有）【課題】地震などの振動により転倒することがなく、かつ、破損し難い石碑を提供する。【解決手段】地面に置かれる芝台３に、第一石材５，第二石材７，第三石材９が順に積み上げられて構成される。第一石材５の上面には、凹部３１が形成され、下端部には凸部３３が形成されている。第一石材５は、芝台３の上下に貫通する穴に凸部３３がはめ込まれて芝台３に載置され、凸部３３の下面は地面に当接する。第二石材７には、下方へ突出して凸部４３が形成されており、第二石材７の下端部周縁は円弧状面７ａに形成されている。第二石材７は、凸部４３が第一石材５の凹部３１にはめ込まれて第一石材５に載置される。第三石材９には、鍔部５１が形成され、鍔部５１より下方へ突出して凸部５３が形成されている。鍔部５１の周縁は円弧状面５１ａに形成されている。第三石材９は、凸部５３が第二石材７の凹部４１にはめ込まれて第二石材７に載置される。【選択図】図４
0003180013.tif 000002
【実用新案登録請求の範囲】
【請求項１】
下側石材と、この下側石材に載せ置かれる上側石材とを備えて構成される石碑であって、
前記下側石材の上部には、上方へ開口する凹部が形成され、
前記上側石材の下部には、前記凹部にはめ込まれる凸部が、下方へ突出して形成されており、
前記上側石材は、前記凸部が前記凹部にはめ込まれた際、前記下側石材の上面に配置される下端部の周縁の角部が、円弧状面に形成されている
ことを特徴とする石碑。
【請求項２】
前記上側石材の下端部には、鍔部が形成され、この鍔部より下方へ突出して前記凸部が形成されており、
この鍔部に前記円弧状面が形成されている
ことを特徴とする請求項１に記載の石碑。
【請求項３】
前記下側石材の下部には、下方へ突出して凸部が形成されており、
この凸部が、地面に載置される芝台の上下に貫通する穴にはめ込まれて、前記下側石材は前記芝台に載せ置かれ、
前記下側石材の前記凸部の下面は、地面に当接する
ことを特徴とする請求項１または請求項２に記載の石碑。
【請求項４】
前記芝台は、複数の石片が四角形状に囲うように配置されて構成される
ことを特徴とする請求項３に記載の石碑。 
【考案の詳細な説明】
【技術分野】
【０００１】
本考案は、石碑に関するものであり、特に墓石に関するものである。
【背景技術】
【０００２】
従来、石碑は、１つの石材により構成されていたり、２つ以上の石材を積み上げて構成されたりしている。そして、石材を２つ以上積み上げて構成する場合、地震などの振動で上段の石材が倒れることがある。
【０００３】
そこで、下側の石材と上側の石材を粘着剤や粘着シートなどで固定したり、ボルトにより固定したりすることで、石材の転倒を防止することが行われている。
【考案の概要】
【考案が解決しようとする課題】
【０００４】
しかしながら、粘着剤や粘着シートなどで石材同士を固定する場合、年数が経過すると粘着力が弱まり、上側の石材が転倒するおそれがある。
また、ボルトなどで石材同士を固定する場合、ボルトを石材に取り付ける際、石材が割れるおそれがあった。
【０００５】
本考案が解決しようとする課題は、地震などによる振動で転倒することがなく、かつ、破損し難い石碑を提供することにある。
【課題を解決するための手段】
【０００６】
本考案は、前記課題を解決するためになされたもので、請求項１に記載の考案は、下側石材と、この下側石材に載せ置かれる上側石材とを備えて構成される石碑であって、前記下側石材の上部には、上方へ開口する凹部が形成され、前記上側石材の下部には、前記凹部にはめ込まれる凸部が、下方へ突出して形成されており、前記上側石材は、前記凸部が前記凹部にはめ込まれた際、前記下側石材の上面に配置される下端部の周縁の角部が、円弧状面に形成されていることを特徴とする石碑である。
【０００７】
請求項２に記載の考案は、前記上側石材の下端部には、鍔部が形成され、この鍔部より下方へ突出して前記凸部が形成されており、この鍔部に前記円弧状面が形成されていることを特徴とする請求項１に記載の石碑である。
【０００８】
請求項３に記載の考案は、前記下側石材の下部には、下方へ突出して凸部が形成されており、この凸部が、地面に載置される芝台の上下に貫通する穴にはめ込まれて、前記下側石材は前記芝台に載せ置かれ、前記下側石材の前記凸部の下面は、地面に当接することを特徴とする請求項１または請求項２に記載の石碑である。
【０００９】
さらに、請求項４に記載の考案は、前記芝台は、複数の石片が四角形状に囲うように配置されて構成されることを特徴とする請求項３に記載の石碑である。
【考案の効果】
【００１０】
本考案によれば、地震などの振動で転倒することがなく、かつ、破損し難い石碑を提供できる。
【図面の簡単な説明】
【００１１】
【図１】本考案の石碑の一実施例を示す斜視図である。
【図２】図１の石碑を前方から見た分解斜視図である。
【図３】図１の石碑を後方から見た分解斜視図である。
【図４】図１の石碑を右側から見た断面図である。
【考案を実施するための形態】
【００１２】
以下、本考案の石碑の一実施例について図面に基づいて具体的に説明する。
【００１３】
図１は、本考案の石碑の一実施例を示す斜視図である。
本実施例の石碑１は、地面に置かれる芝台３に、３つの石材５，７，９が順に積み上げられて構成される墓石とされる。
【００１４】
図２及び図３は、本実施例の石碑の分解斜視図であり、図２は前方から、図３は後方から見た状態を示している。また、図４は、本実施例の石碑を右側から見た断面図である。
【００１５】
最下段の芝台３は、４つの石片１１，１３，１５，１７により構成される。
各石片１１，１３，１５，１７は、断面長方形状とされ、各石片１１，１３，１５，１７の高さ寸法ａは同じとされる。
この４つの石片１１，１３，１５，１７が、四角形状に囲うように配置されて、芝台３は枠状に構成される。
具体的には、長手方向を左右方向に沿うように第一石片１１が配置され、この第一石片１１の両端部に第二石片１３および第三石片１５の各前端部が当接されて、第二石片１３および第三石片１５が前後方向に沿うように配置される。そして、第二石片１３と第三石片１５の後端部間に第四石片１７が配置される。
このように、第一石片１１〜第四石片１７が、口字形状に配置され、中央部に正方形状の穴Ｈが形成される。
【００１６】
芝台３に載せ置かれる第一石材５は、平面視正方形状の石材とされ、その上面には上方へ開口する凹部３１が形成され、下端部には下方へ突出して凸部３３が形成されている。
【００１７】
第一石材５の上端部は、上方へ行くに従って内側に傾斜する傾斜面３５に形成され、上面３７は、水平面に形成されている。
傾斜面３５は湾曲した形状とされ、水平な上面３７と傾斜面３５の境界部３５ａは円弧面に形成されている。
水平な上面３７の中央部に正方形状の凹部３１が形成されている。
【００１８】
凸部３３は、断面正方形状とされ、芝台３の中央の穴Ｈに対応している。
また、凸部３３の高さ寸法ｂは、芝台３の各石片１１，１３，１５，１７の高さ寸法ａ、つまり芝台３の穴Ｈの深さに対応している。
【００１９】
第一石材５の正面中央部には、奥側へ向けて空洞部３９が形成されており、この空洞部３９は下方へも開口している。
【００２０】
第一石材５は、その凸部３３が、芝台３の中央部の穴Ｈにはめ込まれて、芝台３に載せ置かれると共に、凸部３３の下面が地面に当接して配置される。
第一石材５が芝台３に載置された状態では、芝台３の各石片１１，１３，１５，１７の一端辺部が、第一石材５の下部に配置され、第一石材５は各石片１１，１３，１５，１７に囲まれて配置される。
【００２１】
第二石材７は、平面視正方形状の石材とされ、その上端面には、上方へ開口する凹部４１が形成され、下端部には、下方へ突出して凸部４３が形成されている。
第二石材７は、第一石材５より横寸法が小さく形成されている。
【００２２】
第二石材７の上端部は、上方へ行くに従って内側に傾斜する傾斜面４５に形成され、上面４７は、水平面に形成されている。
傾斜面４５は湾曲した形状とされ、水平な上面４７と傾斜面４５の境界部４５ａは円弧面に形成されている。
水平な上面４７の中央部に正方形状の凹部４１が形成されている。
【００２３】
凸部４３は、断面正方形状とされ、第一石材５の凹部３１に対応した形状とされる。
また、第二石材７の下端部の周縁７ａは、円弧状面に形成されている。
具体的には、第二石材７の下端部は、凸部４３の上端部から水平に外方へ延出した後（７ｂ）、円弧状に上方へ延出し（７ａ）、さらに垂直に上方へ延出して形成されている。
この第二石材７の下端部周縁７ａの円弧状部の半径Ｒ１は、１ｃｍ〜４ｃｍとされ、好ましくは、１．５ｃｍ〜３ｃｍとされる。
【００２４】
第二石材７は、その凸部４３が第一石材５の凹部３１にはめ込まれて第一石材５に載置される。
【００２５】
第二石材７に載せ置かれる第三石材（棹石）９は、平面視正方形状とされる一方、上下に長い石材とされる。
第三石材９は、その下端部に鍔部５１が形成され、さらに、鍔部５１から下方へ突出して凸部５３が形成されている。
【００２６】
鍔部５１は、第三石材９の全周に形成され、全体として平面視正方形状とされる。
また、鍔部５１の周縁は、円弧状面５１ａに形成されている。
具体的には、鍔部５１の下端部は、凸部５３の上端部から水平に外方へ延出した後（５１ｂ）、円弧状に上方へ延出して形成されている（５１ａ）。
この第三石材９の鍔部５１の下端部周縁５１ａの円弧状の半径Ｒ２は、１ｃｍ〜４ｃｍとされ、好ましくは、１．５ｃｍ〜３ｃｍとされる。
【００２７】
凸部５３は、断面正方形状とされ、第二石材７の凹部４１に対応した形状とされる。
【００２８】
第三石材９は、その凸部５３が第二石材７の凹部４１にはめ込まれて第二石材７に載置される。
【００２９】
このように、地面に載置された芝台３に、第一石材５、第二石材７および第三石材９が順に積み重ねられて石碑１が構成される。
本実施例では、第一石材５〜第三石材９が積み重ねられる際、下側の石材５，７の凹部３１，４１に、上側の石材７，９の凸部４３，５３がはめ込まれることで、地震などの振動による各石材５，７，９の転倒を防止できる。
【００３０】
また、本実施例では、第一石材５は、その凸部３３が芝台３の穴Ｈにはめ込まれることで、第一石材５も転倒が防止される。さらに、本実施例では、第一石材５は、その凸部３３の下面が地面に接地していることで、より転倒し難い構造となっている。
【００３１】
また、本実施例では、第二石材７の下端部周縁７ａは、円弧状面に形成されている。
これにより、地震などの振動で第二石材７が揺れ動き、その下端部周縁７ａが第一石材５の上面に当接したとしても、円弧状面７ａが第一石材５の上面に当接することになり、破損するおそれがない。
つまり、第二石材７の下端部外周には、鋭角な角部が存在せず、第一石材５に対して揺動したとしても、第二石材７が破損するおそれがない。
【００３２】
さらに、本実施例では、第三石材９の鍔部５１の周縁は、円弧状面５１ａに形成されている。
これにより、地震などの振動で第三石材９が揺れ動き、鍔部５１の下端部周縁が第二石材７の上面に当接したとしても、円弧状面５１ａが第二石材７の上面に当接することになり、破損するおそれがない。
また、第二石材７の凹部４１の上端部周縁４１ａや、第三石材９の凸部５３の角部５３ａが破損したとしても、鍔部５１が設けられていることで、外部から破損箇所は見えず、見栄えがよい。
【００３３】
このように本実施例の石碑１によれば、地震などの振動で石碑１を構成する各石材５，７，９が転倒するおそれがない。
また、地震などの振動により、下側の石材５，７に対して、上側の石材７，９が揺動したとしても、上側の石材７，９は、外部から視認される箇所が破損し難い。
しかも、鍔部５１を設けた場合には、破損した箇所を外部から視認することができず、見栄えが良い。
【００３４】
本考案の石碑は、上記実施例の構成に限らず、適宜変更可能である。
たとえば、芝台３や各石材５，７，９の形状は、適宜変更可能である。
また、上記実施例では、芝台３に３つの石材５，７，９を載置して石碑を構成したが、２つまたは４つ以上の石材を積み重ねて石碑を構成してもよい。
【００３５】
さらに、各石材５，７，９の凸部３３，４３，５３や、凹部３１，４１、および芝台３の穴Ｈの形状は、適宜変更可能である。
【００３６】
また、上記実施例では、第三石材９に鍔部５１を形成したが、鍔部５１を形成せずに、第二石材７と同様に下端部周縁を円弧状面に形成して、第三石材９の凸部５３を第二石材７の凹部４１にはめ込むようにしてもよい。
さらに、第二石材７に、第三石材９と同様に、鍔部を形成し、鍔部の周縁を円弧状面として、第二石材７の凸部４３を第一石材５の凹部３１にはめ込むようにしてもよい。
【符号の説明】
【００３７】
１    石碑
３    芝台
５    第一石材
７    第二石材
７ａ  円弧状面
９    第三石材
３１    凹部
３３    凸部
４１    凹部
４３    凸部
５１    鍔部
５１ａ  円弧状面
【図１】
0003180013.tif 000003
【図２】
0003180013.tif 000004
【図３】
0003180013.tif 000005
【図４】
0003180013.tif 000006